(57)【特許請求の範囲】
【請求項１】
高速パケットアクセスシステムにおいてマルチユーザ多入力多出力を提供するための方法であって、
複数のデュアルストリーム対応無線通信デバイスからチャネル品質インジケータを受信することと、
前記チャネル品質インジケータを使用して、各無線通信デバイスのための好適ビームおよび二次的ビームを判定することと、
互いに直交する好適ビームを持つ無線通信デバイスをペアリングすることと、
無線通信デバイスペアを選択することと、
同じ直交可変拡散率符号を使用して、前記選択された無線通信デバイスペアのためのデータストリームを同じ伝送時間間隔にスケジューリングすることと
を備え、
前記スケジューリングすることは、前記同じ直交可変拡散率符号を使用して選択された無線通信デバイスのペアリングの間、特定の測定基準が最大化されたときにスケジューリングし、前記特定の測定基準は、前記選択された無線通信デバイスに関するデータストリーム毎の比例的公平測定基準を合計した合計比例的公平測定基準（sum proportional fair metric）である、方法。
【請求項２】
前記無線通信デバイスはユーザ機器である請求項１に記載の方法。
【請求項３】
前記方法はノードＢによって実行される請求項１に記載の方法。
【請求項４】
前記無線通信デバイスをペアリングすることは、前記ノードＢによってサービス提供される各無線通信デバイスの前記好適ビームを比較することを備える請求項３に記載の方法。
【請求項５】
前記無線通信デバイスペアは、第１の無線通信デバイスおよび第２の無線通信デバイスを備え、前記選択された無線通信デバイスペアのためのデータストリームをスケジューリングすることは、前記第１の無線通信デバイスの好適ビームで第１のデータストリームをスケジューリングすることと、前記第２の無線通信デバイスの好適ビームで第２のデータストリームをスケジューリングすることとを備える請求項１に記載の方法。
【請求項６】
前記第１のデータストリームおよび前記第２のデータストリームは、同時に送信される請求項５に記載の方法。
【請求項７】
前記直交可変拡散率符号は１６の拡散率を有する請求項１に記載の方法。
【請求項８】
前記方法は伝送時間間隔毎に実行される請求項１に記載の方法。
【請求項９】
互いに直交する好適ビームを持つ無線通信デバイスをペアリングすることは、比較表を使用することを備える請求項１に記載の方法。
【請求項１０】
前記無線通信デバイスペアを選択することは、複数の無線通信デバイスペアから前記無線通信デバイスペアを選択することを備え、前記選択された無線通信デバイスペアは、前記伝送時間間隔の間、測定基準を最大化する請求項１に記載の方法。
【請求項１１】
高速パケットアクセスシステムにおいてマルチユーザ多入力多出力を提供するように構成された基地局であって、
プロセッサと、
前記プロセッサと電子的に通信し、かつ命令群を備えたメモリと、
を備え、前記プロセッサは、前記命令群を実行することにより、
複数のデュアルストリーム対応無線通信デバイスからチャネル品質インジケータを受信し、
前記チャネル品質インジケータを使用して、各無線通信デバイスのための好適ビームおよび二次的ビームを判定し、
互いに直交する好適ビームを持つ無線通信デバイスをペアリングし、
無線通信デバイスペアを選択し、
同じ直交可変拡散率符号を使用して、前記選択された無線通信デバイスペアのためのデータストリームを同じ伝送時間間隔にスケジューリングし、前記スケジューリングすることは、前記同じ直交可変拡散率符号を使用して選択された無線通信デバイスのペアリングの間、特定の測定基準が最大化されたときにスケジューリングし、前記特定の測定基準は、前記選択された無線通信デバイスに関するデータストリーム毎の比例的公平測定基準を合計した合計比例的公平測定基準（sum proportional fair metric）である、基地局。
【請求項１２】
前記無線通信デバイスはユーザ機器である請求項１１に記載の基地局。
【請求項１３】
前記基地局はノードＢである請求項１１に記載の基地局。
【請求項１４】
前記無線通信デバイスをペアリングすることは、前記ノードＢによってサービス提供される各無線通信デバイスの前記好適ビームを比較することを備える請求項１３に記載の基地局。
【請求項１５】
前記無線通信デバイスペアは、第１の無線通信デバイスおよび第２の無線通信デバイスを備え、前記選択された無線通信デバイスペアのためのデータストリームをスケジューリングすることは、前記第１の無線通信デバイスの好適ビームで第１のデータストリームをスケジューリングすることと、前記第２の無線通信デバイスの好適ビームで第２のデータストリームをスケジューリングすることとを備える請求項１１に記載の基地局。
【請求項１６】
前記第１のデータストリームおよび前記第２のデータストリームは同時に送信される請求項１５に記載の基地局。
【請求項１７】
前記直交可変拡散率符号は１６の拡散率を有する請求項１１に記載の基地局。
【請求項１８】
前記命令群は、伝送時間間隔毎に前記プロセッサによって実行可能である請求項１１に記載の基地局。
【請求項１９】
前記互いに直交する好適ビームを持つ無線通信デバイスをペアリングすることは比較表を使用することを備える請求項１１に記載の基地局。
【請求項２０】
前記無線通信デバイスペアを選択することは、複数の無線通信デバイスペアから前記無線通信デバイスペアを選択することを備え、前記選択された無線通信デバイスペアは、前記伝送時間間隔の間、測定基準を最大化する請求項１１に記載の基地局。
【請求項２１】
高速パケットアクセスシステムにおいてマルチユーザ多入力多出力を提供するように構成された基地局であって、
複数のデュアルストリーム対応無線通信デバイスからチャネル品質インジケータを受信する手段と、
前記チャネル品質インジケータを使用して各無線通信デバイスのための好適ビームおよび二次的ビームを判定する手段と、
互いに直交する好適ビームを持つ無線通信デバイスをペアリングする手段と、
無線通信デバイスペアを選択する手段と、
同じ直交可変拡散率符号を使用して、前記選択された無線通信デバイスペアのためのデータストリームを同じ伝送時間隔にスケジューリングする手段と
を備え、
前記スケジューリングすることは、前記同じ直交可変拡散率符号を使用して選択された無線通信デバイスのペアリングの間、特定の測定基準が最大化されたときにスケジューリングし、前記特定の測定基準は、前記選択された無線通信デバイスに関するデータストリーム毎の比例的公平測定基準を合計した合計比例的公平測定基準（sum proportional fair metric）である、基地局。
【請求項２２】
前記無線通信デバイスをペアリングすることは、前記基地局によってサービス提供される各無線通信デバイスの前記好適ビームを比較することを備える請求項２１に記載の基地局。
【請求項２３】
前記無線通信デバイスペアは、第１の無線通信デバイスおよび第２の無線通信デバイスを備え、前記選択された無線通信デバイスペアのためのデータストリームをスケジューリングすることは、前記第１の無線通信デバイスの好適ビームで第１のデータストリームをスケジューリングすることと、前記第２の無線通信デバイスの好適ビームで第２のデータストリームをスケジューリングすることとを備える請求項２１に記載の基地局。
【請求項２４】
前記第１のデータストリームおよび前記第２のデータストリームは、同時に送信される請求項２３記載の基地局。
【請求項２５】
前記直交可変拡散率符号は１６の拡散率を有する請求項２１に記載の基地局。
【請求項２６】
高速パケットアクセスシステムにおいてマルチユーザ多入力多出力を提供するための命令群を記憶したコンピュータ読み取り可能な記録媒体において、前記命令群は、
基地局に、複数のデュアルストリーム対応無線通信デバイスからチャネル品質インジケータを受信させるためのコードと、
前記基地局に、前記チャネル品質インジケータを使用して、各無線通信デバイスのための好適ビームおよび二次的ビームを判定させるためのコードと、
前記基地局に、互いに直交する好適ビームを持つ前記無線通信デバイスをペアリングさせるためのコードと、
前記基地局に、無線通信デバイスペアを選択させるためのコードと、
前記基地局に、同じ直交可変拡散率符号を使用して、前記選択された無線通信デバイスペアのためのデータストリームを同じ伝送時間間隔にスケジューリングさせるためのコードと
を備え、
前記スケジューリングすることは、前記同じ直交可変拡散率符号を使用して選択された無線通信デバイスのペアリングの間、特定の測定基準が最大化されたときにスケジューリングし、前記特定の測定基準は、前記選択された無線通信デバイスに関するデータストリーム毎の比例的公平測定基準を合計した合計比例的公平測定基準（sum proportional fair metric）である、コンピュータ読み取り可能な記録媒体。
【請求項２７】
前記基地局に無線通信デバイスをペアリングさせるためのコードは、前記基地局に、前記基地局によってサービス提供される各無線通信デバイスの前記好適ビームを比較させるためのコードを備える請求項２６に記載のコンピュータ読み取り可能な記録媒体。
【請求項２８】
前記無線通信デバイスペアは、第１の無線通信デバイスおよび第２の無線通信デバイスを備え、前記基地局に選択された無線通信デバイスペアのためのデータストリームをスケジューリングさせるためのコードは、前記基地局に、前記第１の無線通信デバイスの好適ビームで第１のデータストリームをスケジューリングさせるためのコードと、前記基地局に、前記第２の無線通信デバイスの好適ビームで第２のデータストリームをスケジューリングさせるためのコードとを備える請求項２６に記載のコンピュータ読み取り可能な記録媒体。
【請求項２９】
前記第１のデータストリームおよび前記第２のデータストリームは同時に送信される請求項２８に記載のコンピュータ読み取り可能な記録媒体。
【請求項３０】
前記直交可変拡散率符号は１６の拡散率を有する、請求項２６に記載のコンピュータ読み取り可能な記録媒体。
【発明の詳細な説明】
【関連出願】
【０００１】
本願は、“MULTI-USER MIMO FOR HSPA.”に題され、２００９年１１月１７日に提出された米国特許仮出願６１／２６２１０５号に関連し、また、上記出願に対する優先権を主張する。
【技術分野】
【０００２】
本開示は一般に無線通信システムに関する。特に、本開示は高速パケットアクセス（ＨＳＰＡ）システムのためのマルチユーザ多入力多出力（ＭＵ−ＭＩＭＯ）のためのシステムおよび方法に関する。
【背景技術】
【０００３】
無線通信システムは、音声、ビデオ、データなどのような様々なタイプの通信コンテンツを提供するために広く展開されている。これらのシステムは複数の端末と１又は複数の基地局との同時通信をサポートすることができる多元接続システムでありうる。
【０００４】
全ての通信システムにおいて対処されなければならない問題は、フェージングあるいはその他の干渉である。受信された信号を復号することに関する問題も存在しうる。これらの問題に対処する１つの方法は、ビームフォーミングを利用することによるものである。ビームフォーミングを用いる場合、空間ストリームを送信するために各送信アンテナを使用する代わりに、これらの送信アンテナが各々、受信機において応答を最適化するために選ばれる空間ストリームの線形結合を送信する。
【０００５】
スマートアンテナはアンテナ要素のアレイであり、これらの各々は、予め定められた位相オフセットおよび相対利得で送信される信号を受信する。アレイの正味の影響（net effect）は、予め定められた方向でビームを向ける（送信あるいは受信する）ためのものである。ビームは、アレイの要素を励起する信号の位相と利得との関係を制御することによってステアリングされる。このように、スマートアンテナは、従来のアンテナが通常するように、予め定められたカバレッジエリア内（例えば、１２０°）の全てのモバイルユニットに対してエネルギーを放射することとは対照的に、各個別のモバイルユニット（あるいは複数のモバイルユニット）に対してビームを向ける。スマートアンテナは、各モバイルユニットに向けられたビームの幅を減少させることによってシステム容量を増加させ、それによりモバイルユニット間の干渉を減少させる。干渉におけるこのような低減は、性能および／あるいは容量を向上させる信号対干渉および信号対雑音比の増加をもたらす。電力制御されるシステムにおいて、各モバイルユニットに狭ビーム信号を向けることはまた、所与のレベルの性能を提供するために必要とされる送信電力における低減をもたらす。
【０００６】
無線通信システムはビームフォーミングを使用して、システム全体の利得を提供しうる。ビームフォーミングにおいて、送信機上の複数のアンテナは、受信機上の複数のアンテナに向けて伝送の方向をステアリングしうる。ビームフォーミングは、信号対雑音比（ＳＮＲ）を低減しうる。ビームフォーミングはまた、近隣セルにおける端末によって受信される干渉の量を減少させうる。向上したビームフォーミング技術を提供することによって、利益が実現されうる。
【発明の概要】
【０００７】
高速パケットアクセスシステムにおけるマルチユーザ多入力多出力を提供する方法が説明される。チャネル品質インジケータは、複数のデュアルストリーム対応無線通信デバイスから受信される。好適ビームおよび二次的ビームが、チャネル品質インジケータを使用して各無線通信デバイスのために判定される。互いに対して直交する好適ビームを持つ無線通信デバイスがペアリングされる。無線通信デバイスペアがその後選択される。選択された無線通信デバイスペアのためのデータストリームが、直交可変拡散率符号を使用して、同じ伝送時間間隔にスケジューリングされる。
【０００８】
無線通信デバイスはユーザ機器でありうる。方法はノードＢによって実行されうる。無線通信デバイスをペアリングすることは、ノードＢによってサービス提供される各無線通信デバイスの好適ビームを比較することを含みうる。無線通信デバイスペアは、第１の無線通信デバイスおよび第２の無線通信デバイスを含みうる。選択された無線通信デバイスペアのためのデータストリームをスケジューリングすることは、第１の無線通信デバイスの好適ビームで第１のデータストリームをスケジューリングすることと、第２の無線通信デバイスの好適ビームで第２のデータストリームをスケジューリングすることとを含みうる。
【０００９】
第１のデータストリームおよび第２のデータストリームは、同時に送信されうる。直交可変拡散率符号は１６の拡散率を有しうる。方法は、伝送時間間隔毎に実行されうる。互いに対して直交する好適ビームを持つ無線通信デバイスをペアリングすることは、比較表を使用することを含みうる。無線通信デバイスペアを選択することは、複数の無線通信デバイスペアから無線通信デバイスペアを選択することを含みうる。選択された無線通信デバイスペアは伝送時間間隔の間、測定基準を最大化しうる。
【００１０】
高速パケットアクセスシステムにおいてマルチユーザ多入力多出力を提供するように構成される無線デバイスが更に説明される。無線デバイスは、プロセッサと、プロセッサと電子的に通信しているメモリと、メモリに格納される命令群とを含む。命令群は、複数のデュアルストリーム対応無線通信デバイスからチャネル品質インジケータを受信するように、プロセッサによって実行可能である。命令群はまた、チャネル品質インジケータを使用して各無線通信デバイスのための好適ビームおよび二次的ビームを判定するようにプロセッサによって実行可能である。命令群は更に、互いに直交する好適ビームを持つ無線通信デバイスをペアリングするようにプロセッサによって実行可能である。命令群はまた、無線通信デバイスペアを選択するようにプロセッサによって実行可能である。命令群は更に、直交可変拡散率符号を使用して、選択された無線通信デバイスペアのためのデータストリームを同じ伝送時間間隔にスケジューリングするようにプロセッサによって実行可能である。
【００１１】
高速パケットアクセスシステムにおいてマルチユーザ多入力多出力を提供するように構成される無線デバイスが説明される。無線デバイスは、複数のデュアルストリーム対応無線通信デバイスからチャネル品質インジケータを受信するための手段を含む。無線デバイスはまた、チャネル品質インジケータを使用して各無線通信デバイスのための好適ビームおよび二次的ビームを判定する手段を含む。無線デバイスは更に、互いに直交する好適ビームを持つ無線通信デバイスをペアリングする手段を含む。無線デバイスはまた、無線通信デバイスペアを選択する手段を含む。無線デバイスは更に、直交可変拡散率符号を使用して、選択された無線通信デバイスペアのためのデータストリームを同じ伝送時間間隔にスケジューリングする手段を含む。
【００１２】
高速パケットアクセスシステムにおいてマルチユーザ多入力多出力を提供するためのコンピュータプログラム製品が説明される。コンピュータプログラム製品は、命令群を有する非一時的なコンピュータ可読媒体を含む。命令群は、基地局に、複数のデュアルストリーム対応無線通信デバイスからチャネル品質インジケータを受信させるためのコードを含む。命令群はまた、基地局に、チャネル品質インジケータを使用して各無線通信デバイスのための好適ビームおよび二次的ビームを判定させるためのコードを含む。命令群は更に、基地局に、互いに直交する好適ビームを持つ無線通信デバイスをペアリングさせるためのコードを含む。命令群はまた、基地局に、無線通信デバイスペアを選択させるためのコードを含む。命令群は更に、基地局に、直交可変拡散率符号を使用して、選択された無線通信デバイスペアのためのデータストリームを同じ伝送時間間隔にスケジューリングさせるためのコードを含む。
【図面の簡単な説明】
【００１３】
【図１】図１は、複数の無線デバイスとの無線通信システムを示す。
【図２】図２は、複数の無線通信デバイスとの別の無線通信システムを示す。
【図３】図３は、ペアリングされた２つのユーザ機器（ＵＥ）にデータストリームを一緒に（jointly）スケジューリングするための方法のフロー図である。
【図４】図４は、ユーザ機器（ＵＥ）をペアリングするための比較表を例示するブロック図である。
【図５】図５は、複数の伝送時間間隔（ＴＴＩ）を持つタイムラインを例示するブロック図である。
【図６】図６は、ペアリングされたユーザ機器（ＵＥ）に対するデータストリームを一緒にスケジューリングするための別の方法のフロー図である。
【図７】図７は、本システムおよび方法における使用のための基地局のブロック図である。
【図８】図８は、多入力多出力（ＭＩＭＯ）システムにおける送信機および受信機のブロック図である。
【図９】図９は、基地局内に含まれうる特定の構成要素を例示する。
【発明を実施するための形態】
【００１４】
第３世代パートナーシッププロジェクト（３ＧＰＰ）は、世界的に適用可能な第３世代（３Ｇ）モバイル電話の仕様を定義することを目的とする電気通信アソシエーショングループ間のコラボレーションである。３ＧＰＰロングタームエボリューション（ＬＴＥ）は、ユニバーサルモバイル電気通信システム（ＵＴＭＳ）モバイル電話規格を改良することを目的とする３ＧＰＰプロジェクトである。３ＧＰＰは、次世代のモバイルネットワーク、モバイルシステム、およびモバイルデバイスのための仕様を定義しうる。
【００１５】
３ＧＰＰ ＬＴＥにおいて、モバイル局あるいはモバイルデバイスは、「ユーザ機器」（ＵＥ）と称されうる。基地局は発展型ノードＢ（ｅＮＢ）と称されうる。半自律基地局は、ホームｅＮＢ（ＨｅＮＢ）と称されうる。このように、ＨｅＮＢはｅＮＢの一例でありうる。
【００１６】
図１は、複数の無線デバイスを持つ無線通信システム１００を示す。無線通信システム１００は、音声やデータなどといった様々なタイプの通信コンテンツを提供するように広く展開されている。無線デバイスは、基地局１０２あるいは無線通信デバイス１０４でありうる。
【００１７】
基地局１０２は、１又は複数の無線通信デバイス１０４と通信する局である。基地局１０２は、アクセスポイント、ブロードキャスト送信機、ノードＢ、発展型ノードＢなどと称されうる、また、それらの機能のいくつかあるいは全てを含みうる。用語「基地局」が本明細書において使用される。各基地局１０２は、特定の地理的エリアのための通信カバレッジを提供する。基地局１０２は、１又は複数の無線通信デバイス１０４のための通信カバレッジを提供しうる。用語「セル」は、この用語が使用されるコンテキストに依存して、基地局１０２および／あるいはそのカバレッジエリアを指しうる。
【００１８】
無線システム（例えば、多元接続システム）における通信は、無線リンクによる伝送によって達成されうる。このような通信リンクは、単一入力および単一出力（ＳＩＳＯ）、多入力および単一出力（ＭＩＳＯ）、あるいは多入力多出力（ＭＩＭＯ）システムによって確立されうる。ＭＩＭＯシステムは、データ伝送のために複数（ＮＴ個）の送信アンテナおよび複数（ＮＲ個）の受信アンテナをそれぞれ装備する（複数の）送信機および（複数の）受信機を含む。ＳＩＳＯおよびＭＩＳＯシステムは、ＭＩＭＯシステムの特定のインスタンスである。ＭＩＭＯシステムは、複数の送信アンテナおよび受信アンテナによって生成される追加的な次元が利用される場合に、改良された性能（例えば、より高いスループット、より高い容量、あるいは改良された信頼性）を提供することができる。
【００１９】
無線通信システム１００はＭＩＭＯを利用しうる。ＭＩＭＯシステムは、時分割二重通信（ＴＤＤ）および周波数分割二重通信（ＦＤＤ）システムの両方をサポートしうる。ＴＤＤシステムにおいて、相反原理がアップリンク１０８チャネルからダウンリンク１０６チャネルの推定を可能にするように、アップリンク１０８ａ−ｂおよびダウンリンク１０６ａ−ｂは同じ周波数領域上にある。これによって、送信している無線デバイスは、この送信している無線デバイスによって受信される通信からの送信ビームフォーミング利得を抽出することができるようになる。
【００２０】
無線通信システム１００は、利用可能なシステムリソース（例えば、帯域幅および送信電力）を共有することによって複数の無線通信デバイス１０４との通信をサポートすることができる多元接続システムでありうる。このような多元接続システムの例は、符号分割多元接続（ＣＤＭＡ）システムと、広帯域符号分割多元接続（Ｗ−ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、単一キャリア周波数分割多元接続（ＳＦ−ＦＤＭＡ）システムと、第３世代パートナーシップ・プロジェクト（３ＧＰＰ）ロングタームエボリューション（ＬＴＥ）システムと、空間分割多元接続（ＳＤＭＡ）システムとを含む。
【００２１】
用語「ネットワーク」および「システム」は、置換可能なように利用されることが多い。ＣＤＭＡネットワークは、ユニバーサル地上無線アクセス（ＵＴＲＡ）やｃｄｍａ２０００などといった無線技術を実施しうる。ＵＴＲＡがＷ−ＣＤＭＡおよび低チップレート（ＬＣＲ）を含む一方で、ｃｄｍａ２０００は、ＩＳ−２０００規格、ＩＳ−９５規格、およびＩＳ−８５６規格をカバーする。ＴＤＭＡネットワークは、グローバルシステム・フォー・モバイルコミュニケーション（ＧＳＭ）(登録商標）のような無線技術を実施しうる。ＯＦＤＭＡネットワークは、発展型ＵＴＲＡ（Ｅ−ＵＴＲＡ）、ＩＥＥＥ８０２．１１、ＩＥＥＥ８０２．１６、ＩＥ８０２．２０、ＦＬＡＳＨ−ＯＦＤＭＡなどといった無線技術を実施しうる。ＵＴＲＡ、Ｅ−ＵＴＲＡ、およびＧＳＭは、ユニバーサルモバイル電気通信システム（ＵＭＴＳ）の一部である。ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナーシップ・プロジェクト」（３ＧＰＰ）と命名された団体からの文書に説明される。ｃｄｍａ２０００は、「第３世代パートナーシップ・プロジェクト２」（３ＧＰＰ２）と命名された団体からの文書において説明される。明確化のために、本技術の特定の態様は、ＬＴＥに関して以下に説明され、ＬＴＥ技術が以下の説明の大部分において使用される。
【００２２】
基地局１０２は、１又は複数の無線通信デバイス１０４と通信しうる。例えば、基地局１０２は、第１の無線通信デバイス１０４ａおよび第２の無線通信デバイス１０４ｂと通信しうる。無線通信デバイス１０４はまた、端末、アクセス端末、ユーザ機器（ＵＥ）、加入者ユニット、局などと称され、また、それらの機能のいくつかあるいは全てを含みうる。無線通信デバイス１０４は、セルラ電話、携帯情報端末（ＰＤＡ）、無線デバイス、無線モデム、ハンドヘルドデバイス、ラップトップコンピュータなどでありうる。
【００２３】
無線通信デバイス１０４は任意の所与の瞬間において、ダウンリンク１０６および／あるいはアップリンク１０８で、０個か、１個か、あるいは複数個の基地局１０２と通信しうる。ダウンリンク１０６（すなわち、フォワードリンク）は、基地局１０２から無線通信デバイス１０４への通信リンクを称し、アップリンク１０８（すなわち、リバースリンク）は、無線通信デバイス１０４から基地局１０２への通信リンクを称する。
【００２４】
３ＧＰＰリリース５およびそれ以降のものは、高速ダウンリンクパケットアクセス（ＨＳＤＰＡ）をサポートする。３ＧＰＰリリース６およびそれ以降のものは、高速アップリンクパケットアクセス（ＨＳＵＰＡ）をサポートする。ＨＳＤＰＡおよびＨＳＵＰＡは、ダウンリンクおよびアップリンクでの高速パケットデータ伝送を可能にする手順およびチャネルのセットである。ＨＳＤＰＡおよびＨＳＵＰＡはこのように、高速パケットアクセス（ＨＳＰＡ）と命名されたモバイル電話通信プロトコルのファミリーの一部である。リリース７ＨＳＰＡ＋は、３つのエンハンスメントを使用してデータレートを改良する。第１に、ダウンリンク１０６での２×２多入力多出力（ＭＩＭＯ）に対してサポートが導入された。ＭＩＭＯでは、ダウンリンク１０６でサポートされるピークデータレートは、毎秒２８メガビット（Ｍｂｐｓ）である。第２に、より高次の変調がダウンリンク１０６で導入された。ダウンリンク１０６で６４直交振幅変調（ＱＡＭ）を使用することにより、２１Ｍｂｐｓのピークデータレートが可能になる。第３に、より高次の変調がアップリンク１０８で導入された。アップリンク１０８で１６ＱＡＭを使用することにより、１１Ｍｂｐｓのピークデータレートが可能になる。
【００２５】
ＨＳＵＰＡにおいて、基地局１０２は、いくつかの無線通信デバイス１０４が（複数の許可（grant）を使用して）同時に特定の電力レベルで送信することを可能にしうる。これらの許可は、短期ベースで（すなわち、数十ミリ秒のオーダーで）リソースを割り当てる高速スケジューリングアルゴリズムを使用することによって、無線通信デバイス１０４に割り当てられる。ＨＳＵＰＡの迅速なスケジューリングは、パケットデータのバーストな性質に適している。高活性期間中、無線通信デバイス１０４は、より多くのパーセンテージの利用可能なリソースを確保しうるが、その一方で、低活性期間中は帯域幅をほとんどあるいは全く確保できない可能性がある。
【００２６】
３ＧＰＰリリース５ＨＳＤＰＡにおいて、基地局１０２は、高速ダウンリンク共有チャネル（ＨＳ−ＤＳＣＨ）で無線通信デバイスにダウンリンク・ペイロードデータを送りうる。基地局１０２はまた、高速共有制御チャネル（ＨＳ−ＳＣＣＨ）でダウンリンクデータに関連付けられた制御情報を送りうる。データ伝送のために使用される２５６個の直交可変拡散率（ＯＶＳＦ）符号（あるいは、ウォルシュ符号）が存在する。ＨＳＤＰＡシステムにおいて、これらの符号は、セルラ電話通信（音声）のために通常使用されるリリース１９９９（レガシシステム）符号と、データサービスのために使用されるＨＳＤＰＡ符号とに分割される。伝送時間間隔（ＴＴＩ）毎に、ＨＳＤＰＡ使用可能な無線通信デバイス１０４に送られた専用制御情報は、符号空間内のどの符号が無線通信デバイス１０４にダウンリンク・ペイロードデータを送るために使用されるのかと、ダウンリンク・ペイロードデータの伝送のために使用される変調とを無線通信デバイス１０４に対して示しうる。
【００２７】
ＨＳＤＰＡ動作では、無線通信デバイス１０４ａ−ｂに対するダウンリンク伝送は、１５個の利用可能なＨＳＤＰＡ直交可変拡散率（ＯＶＳＦ）符号を使用して、異なる伝送時間間隔に対してスケジューリングされうる。所与の伝送時間間隔（ＴＴＩ）では、各無線通信デバイス１０４が、この伝送時間間隔（ＴＴＩ）の間に無線通信デバイス１０４に割り当てられるダウンリンク帯域幅に依存して、１５個のＨＳＤＰＡ符号のうちの１又は複数を使用中でありうる。上述されたように、伝送時間間隔（ＴＴＩ）毎に、制御情報は、符号空間内のどの符号が無線通信デバイス１０４にダウンリンク・ペイロードデータを送るために使用されるのかを、ダウンリンク・ペイロードデータ（無線通信システム１００の制御データ以外のデータ）の伝送のために使用される変調と共に、無線通信デバイス１０４に対して示す。
【００２８】
基地局１０２から受信された通信に基づいて、無線通信デバイス１０４は、１又は複数のチャネル品質インジケータ（ＣＱＩ）１１２ａ−ｂを生成しうる。各チャネル品質インジケータ（ＣＱＩ）１１２は、基地局１０２と無線通信デバイス１０４との間のダウンリンク１０６チャネルのためのチャネル測定でありうる。チャネル品質インジケータ（ＣＱＩ）１１２は、無線通信システム１００において使用される伝送スキームに依存しうる。多入力多出力（ＭＩＭＯ）通信は、基地局１０２と無線通信デバイス１０４との間で使用されるので、各チャネル品質インジケータ（ＣＱＩ）１１２は、基地局１０２と無線通信デバイス１０４との間の異なるダウンリンク１０６チャネル（すなわち、異なる送信アンテナおよび受信アンテナのペア）に対応しうる。
【００２９】
無線通信デバイス１０４は、チャネル品質インジケータ（ＣＱＩ）１１２を使用して、好適ビーム１１０ａ−ｂを判定しうる。好適ビーム１１０は、無線通信デバイス１０４に対して基地局１０２によって送信される信号のアンテナ構造、重み、伝送方向、および位相を指す。用語「ビーム」および「事前符号化ベクトル」は、データがアンテナから無線でストリームされる方向を指す。多入力多出力（ＭＩＭＯ）では、複数のビームが基地局１０２と無線通信デバイス１０４との間で情報を送信するために使用されうる。このように、好適ビームは、基地局１０２と無線通信デバイス１０４との間の最善の（すなわち、最適な）データストリームを生じるビームを指す。
【００３０】
無線通信デバイス１０４は、アップリンク１０８チャネルによって、基地局１０２にチャネル品質インジケータ（ＣＱＩ）１１２を送信しうる。基地局１０２はこのように、多数のダウンリンク１０６チャネルに対応する多数の無線通信デバイス１０４からチャネル品質インジケータ（ＣＱＩ）１１２を受信しうる。基地局１０２はダウンリンク・データストリーム選択モジュール１１４を含みうる。ダウンリンク・データストリーム選択モジュール１１４は、受信されたチャネル品質インジケータ（ＣＱＩ）１１６を含みうる。ダウンリンク・データストリーム選択モジュール１１４は、受信されたチャネル品質インジケータ（ＣＱＩ）１１６を使用して、各無線通信デバイス１０４のためのスケジューリングを決定しうる。ダウンリンク・データストリーム選択モジュール１１４は、図２に関連して以下に更に詳細に説明される。
【００３１】
ＨＳＰＡのリリース７において、単一ユーザＭＩＭＯ（ＳＵ−ＭＩＭＯ）が使用される。無線通信デバイス１０４が好ましい配置（geometry）を有している（すなわち、無線通信デバイス１０４が、基地局１０２に関連して好ましい位置にある）場合、無線通信デバイス１０４は基地局１０２からのデュアルストリーム伝送を要求しうる。デュアルストリーム伝送において、基地局１０２は、伝送時間間隔（ＴＴＩ）の間に無線通信デバイス１０４に対して第１のデータストリームおよび第２のデータストリームを送信しうる。第１のデータストリームおよび第２のデータストリームは、直交アンテナビームで送信されうる。データストリームのうちの１つ（すなわち、好適なデータストリーム）がその他のデータストリームよりも高いスループットを有するだろうことは内在的性質（inherent）である。ＭＩＭＯ対応無線通信デバイス１０４がデュアルストリーム伝送を要求する場合、好適ビームのチャネル品質インジケータ（ＣＱＩ）１１２は、好適ビームに加えて使用される直交ビームのものよりも高い可能性がある。したがって、無線通信デバイス１０４に両方のデータストリームを送信することは、最も効率的なリソースの使用法をもたらさない可能性がある。
【００３２】
対照的に、マルチユーザＭＩＭＯ（ＭＵ−ＭＩＭＯ）は、基地局１０２リソースの使用をより合理的（intelligent）なものにすることによって、従来のＳＵ−ＭＩＭＯによるダウンリンク１０６のユーザスループットを増加させうる。ＭＵ−ＭＩＭＯは、単一無線通信デバイス１０４に対するデュアルストリーム伝送と比べて、特定の伝送時間間隔（ＴＴＩ）のためのスループットにおける増加を可能にしうる。ダウンリンク・データストリーム選択モジュール１１４は、単一無線通信デバイス１０４のためにデュアルダウンリンク・データストリームを使用する（すなわち、ＳＵ−ＭＩＭＯ）か、あるいは第１の無線通信デバイス１０４ａのための第１のデータストリームと、第２の無線通信デバイス１０４ｂのための、第１のデータストリームに直交する第２のデータストリームとを使用する（すなわち、ＭＵ−ＭＩＭＯ）かを決定しうる。
【００３３】
図２は複数の無線デバイスとの別の無線通信システム２００を示す。無線通信システム２００は、ノードＢ２０２を含みうる。図２のノードＢ２０２は、図１の基地局１０２の１つの構成でありうる。無線通信システム２００はまた、第１のユーザ機器（ＵＥ）２０４ａおよび第２のユーザ機器（ＵＥ）２０４ｂを含みうる。図２の第１のユーザ機器（ＵＥ）２０４ａおよび第２のユーザ機器（ＵＥ）２０４ｂは、図１の無線通信デバイス１０４ａ−ｂの１つの構成でありうる。
【００３４】
ノードＢ２０２は、ダウンリンク・データストリーム選択モジュール２１４を含みうる。図２のダウンリンク・データストリーム選択モジュール２１４は、図１のダウンリンク・データストリーム選択モジュール１１４の１つの構成でありうる。ダウンリンク・データストリーム選択モジュール２１４は、ユーザ機器（ＵＥ）ペアリングモジュール２２２を含みうる。ユーザ機器（ＵＥ）ペアリングモジュール２２２は、１又は複数のユーザ機器（ＵＥ）ペア２２４を決定しうる。ユーザ機器（ＵＥ）ペア２２４は、互いに直交する好適なデータストリーム２１８を持つ２つのユーザ機器（ＵＥ）２０４を指しうる。ユーザ機器（ＵＥ）ペア２２４が、図４に関連して以下に更に詳細に説明される。ノードＢ２０２はまた、選択されたユーザ機器（ＵＥ）ペア２２５を含みうる。ノードＢ２０２は、一度に２つの直交データストリームだけを送信するので、１つのユーザ機器（ＵＥ）ペア２２４だけがユーザ機器（ＵＥ）ペア２２５として選択されうる。最適化手順が、選択されたユーザ機器（ＵＥ）ペア２２５を決定するために使用されうる。
【００３５】
ノードＢ２０２はまた、直交可変拡散率（ＯＶＳＦ）符号２２６を含みうる。直交可変拡散率（ＯＶＳＦ）符号２２６は、個別の通信チャネルを独自に認識することを容易にする直交符号である。直交可変拡散率（ＯＶＳＦ）符号２２６は以下に更に詳細に説明される。
【００３６】
ノードＢ２０２はＳＵ−ＭＩＭＯを使用して、第１の伝送時間間隔（ＴＴＩ）の間、第１のユーザ機器（ＵＥ）２０４ａと通信しうる。例えば、ノードＢ２０２は、第１の好適ビーム２２８ａを使用して、第１のユーザ機器（ＵＥ）好適データストリーム２１８を第１のユーザ機器（ＵＥ）２０４ａに送信しうる。ノードＢ２０２はまた、第１の二次的ビーム２３０ａを使用して、第１のユーザ機器（ＵＥ）二次的データストリーム２２０ａを第１のユーザ機器（ＵＥ）２０４ａに送信しうる。第１の好適ビーム２２８ａおよび第１の二次的ビーム２３０ａは互いに直交しうる。
【００３７】
第２の伝送時間間隔（ＴＴＩ）の間、ノードＢ２０２は第２のユーザ機器（ＵＥ）２０４ｂと通信しうる。例えば、ノードＢ２０２は第２の好適ビーム２２８ｂを使用して、第２のユーザ機器（ＵＥ）好適データストリーム２１８ｂを第２のユーザ機器（ＵＥ）２０４ｂに送信しうる。ノードＢ２０２はまた、第２の二次的ビーム２３０ｂを使用して、第２のユーザ機器（ＵＥ）二次的データストリーム２２０ｂを第２のユーザ機器（ＵＥ）２０４ｂに送信しうる。第２の好適ビーム２２８ｂおよび第２の二次的ビーム２３０ｂは互いに直交しうる。
【００３８】
直交ビームで２つのデータストリームを同じユーザ機器（ＵＥ）２０４に送ることは、無線通信システム２００のための最善のリソース使用法をもたらさない可能性がある。言い換えると、好適データストリーム２１８が二次的データストリーム２２０よりも強いチャネル品質インジケータ（ＣＱＩ）１１２を有するので、直交ビームで２つのデータストリームを同じユーザ機器（ＵＥ）２０４に送ることは、最も効率的な方式でノードＢ２０２に電力を割り当てない可能性がある。同じ量の電力が各データストリームを送信するために使用される場合、二次的データストリーム２２０のためのスループットは、（二次的データストリーム２２０が、より低いチャネル品質インジケータ（ＣＱＩ）１１２を有しているために）好適データストリーム２１８のためのスループットよりも低いだろう。
【００３９】
ＳＵ−ＭＩＭＯの代わりにＭＵ−ＭＩＭＯを使用することで、ダウンリンク１０６のユーザスループットは、ノードＢ２０２のリソースをより合理的に使用することによって増加しうる。ＭＵ−ＭＩＭＯにおいて、ノードＢ２０２は、互いに直交する好適ビーム２２８を持つ第１のユーザ機器（ＵＥ）２０４ａおよび第２のユーザ機器（ＵＥ）２０４ｂを見つけうる。第１のユーザ機器（ＵＥ）２０４ａおよび第２のユーザ機器（ＵＥ）２０４ｂは、ユーザ機器（ＵＥ）ペア２２４と称されうる。
【００４０】
１つの伝送時間期間（ＴＴＩ）の間にユーザ機器（ＵＥ）２０４にデュアルストリーム（すなわち、好適データストリーム２１８および二次的データストリーム２２０）を送信する代わりに、ノードＢ２０２は、第１のユーザ機器（ＵＥ）好適データスストリーム２１８ａを第１のユーザ機器（ＵＥ）２０４ａに送信しうる間に、第２のユーザ機器（ＵＥ）好適データストリーム２１８ｂを第２のユーザ機器（ＵＥ）２０４ｂに同時に送信しうる。このように、ノードＢ２０２は、第１のユーザ機器（ＵＥ）二次的ストリーム２２０ａおよび第２のユーザ機器（ＵＥ）二次的ストリーム２２０ｂを送信すること控えうる。ノードＢ２０２は、同じ符号（例えば、１６の拡散率を持つ直交可変拡散率（ＯＶＳＦ）符号２２６）を使用して、第１のユーザ機器（ＵＥ）好適データストリーム２１８ａおよび第２のユーザ機器（ＵＥ）好適データストリーム２１８ｂを送信しうる。ノードＢ２０２はより低いスループットを持つデータストリームに電力を割り当てる必要が無いので、無線通信システム２００のためのスループットが改良されうる。
【００４１】
ノードＢ２０２は、第１の好適ビーム２２８ａを使用して、第１のユーザ機器（ＵＥ）好適データストリーム２１８ａを送信しうる。ノードＢ２０２は、第１の二次的ビーム２３０ａを使用して第１のユーザ機器（ＵＥ）二次的ストリーム２２０ａを送信しうる。ノードＢ２０２は、第２の好適ビーム２２８ｂを使用して、第２のユーザ機器（ＵＥ）好適データストリーム２１８ｂを送信しうる。ノードＢ２０２はまた、第２の二次的ビーム２３０ｂを使用して、第２のユーザ機器（ＵＥ）二次的データストリーム２２０ｂを送信しうる。第１のユーザ機器（ＵＥ）２０４ａおよび第２のユーザ機器（ＵＥ）２０４ｂは、ユーザ機器（ＵＥ）ペア２２４であり、第１の好適ビーム２２８ａおよび第２の好適ビーム２２８ｂは直交している。
【００４２】
図３は、ペアリングされた２つのユーザ機器（ＵＥ）２０４にデータストリームを一緒に（jointly）スケジューリングするための方法３００のフロー図である。ユーザ機器（ＵＥ）２０４は無線通信デバイス１０４でありうる。方法３００は、基地局１０２によって実行されうる。１つの構成では、基地局１０２はノードＢ２０２でありうる。
【００４３】
基地局１０２は、デュアルストリーム対応である複数のユーザ機器（ＵＥ）２０４からチャネル品質インジケータ（ＣＱＩ）１１２を受信しうる（３０２）。上述されたように、デュアルストリーム対応であるユーザ機器（ＵＥ）２０４は、同じ伝送時間間隔（ＴＴＩ）の間に２つのデータストリームを受信できる。基地局１０２は各ユーザ機器（ＵＥ）２０４のための好適ビーム２２８および二次的ビーム２３０を判定しうる（３０４）。例えば、基地局１０２は、第１のユーザ機器（ＵＥ）２０４ａのための第１の好適ビーム２２８ａおよび第１の二次的ビーム２３０ａを判定しうる（３０４）。基地局１０２はまた、第２のユーザ機器（ＵＥ）２０４ｂのための第２の好適ビーム２２８ｂおよび第２の二次的ビーム２３０ｂを判定しうる（３０４）。
【００４４】
基地局１０４は、互いに直交する好適ビーム２２８を持つユーザ機器（ＵＥ）をペアリングしうる（３０６）。これらの組合せは、ユーザ機器（ＵＥ）ペア２２４と称されうる。１つの構成において、基地局１０２は、ユーザ機器（ＵＥ）ペア２２４を識別する表を作成（construct）しうる。ユーザ機器（ＵＥ）ペア２２４を識別する表の例が、図４に関連して以下に更に詳細に説明される。
【００４５】
基地局１０２は、ユーザ機器（ＵＥ）ペア２２４を、選択されたユーザ機器（ＵＥ）ペア２２５として選択しうる（３０８）。１つの構成において、２つの異なるユーザ機器（ＵＥ）２０４のためのデータストリームの合計レートが２つのデータストリームのＵＥ固有合計レートよりも大きい場合、基地局１０２はユーザ機器（ＵＥ）ペア２２４を選択しうる（３０８）。例えば、第１のユーザ機器（ＵＥ）２０４ａが２つのデータストリームを要求する場合、第１のユーザ機器（ＵＥ）２０４ａは、好適な一次的事前符号化ベクトルｂ１と、好適（強い）データストリーム２１８ａおよび二次的（弱い）データストリーム２２０ａにそれぞれ対応する２つのチャネル品質インジケータ（ＣＱＩ）１１２であるＣＱＩ１、ＣＱＩ２をレポートしうる。同様に、第２のユーザ機器（ＵＥ）２０４ｂが２つのデータのストリームを要求する場合、第２のユーザ機器（ＵＥ）２０４ｂは、好適な一次的事前符号化ベクトルｂ２と、両方のデータストリームのためのチャネル品質インジケータ（ＣＱＩ）１１２であるＣＱＩ１’、ＣＱＩ２’とをレポートしうる。
【００４６】
（ｂ１に直交する）好適な二次的事前符号化ベクトルはｂ２であり、好適な一次的事前符号化ベクトルｂ１に基づいて、基地局１０２によって知られうる。ＣＱＩ１＞ＣＱＩ１’かつＣＱＩ２＞ＣＱＩ２’の場合、第１のユーザ機器（ＵＥ）好適データストリーム２１８ａは、事前符号化ベクトルｂ１にマッピングされ、第２のユーザ機器（ＵＥ）好適データストリーム２１８ｂは、事前符号化ベクトルｂ２にマッピングされうる。基地局１０２は、直交ビームで所与の伝送時間間隔（ＴＴＩ）において最大で２つのデータストリームを送ることができるのみでありうる。したがって、直交好適ビーム２２８を有するユーザ機器（ＵＥ）２０４だけがペアリングされうる。
【００４７】
第１のユーザ機器（ＵＥ）２０４ａおよび第２のユーザ機器（ＵＥ）２０４ｂの両方がビームｂ１、ｂ２を要求する場合、基地局１０２は、ビームｂ１、ｂ２で２つのユーザ機器（ＵＥ）２０４をペアリングしうる。基地局１０２は、このペアリングが伝送時間間隔（ＴＴＩ）の間、特定の測定基準を最大化させていることに気が付く(find)と、同じ直交可変拡散率（ＯＶＳＦ）符号２２６を使用して、選択されたユーザ機器（ＵＥ）ペア２２５に対するデータストリームを同じ伝送時間間隔（ＴＴＩ）にスケジューリングしうる。最大化されうる測定基準の一例は、合計比例的公平測定基準（sum proportional fair metric）である。合計比例的公平測定基準において、ストリーム毎の比例的公平測定基準は、ＭＵ-ＭＩＭＯ伝送が考慮されるときはいつでも合計される。その他の測定基準も使用されうる。
【００４８】
図４は、ユーザ機器（ＵＥ）４０４をペアリングするための比較表を例示するブロック図である。表において、５つのユーザ機器（ＵＥ）４０４ａ−ｅは、ユーザ機器（ＵＥ）ペア４３２を決定するために比較される。ユーザ機器（ＵＥ）４０４の各々はデュアルストリーム対応である。しかし、各ユーザ機器（ＵＥ）４０４のための好適ビーム２２８だけが、その他の各ユーザ機器（ＵＥ）４０４のための好適ビーム２２８と比較される。
【００４９】
ユーザ機器（ＵＥ）ペア４３２は、１つのユーザ機器（ＵＥ）４０４のための好適ビーム２２８が別のユーザ機器（ＵＥ）４０４のための好適ビーム２２８に直交している場合に生じる。例えば、ＵＥ１  ４０４ａのための好適ビーム２２８は、ＵＥ４  ４０４ｄのための好適ビーム２２８に直交しうる。このように、ＵＥ１  ４０４ａおよびＵＥ４  ４０４ｄは、ユーザ機器（ＵＥ）ペア４３２ａである。別の例として、ＵＥ２  ４０４ｂのための好適ビーム２２８は、ＵＥ３  ４０４ｃのための好適ビーム２２８に直交しうる。このようにＵＥ２  ４０４ｂおよびＵＥ３  ４０４ｃは、ユーザ機器（ＵＥ）ペア４３２ｂである。ユーザ機器（ＵＥ）４０４のための好適ビーム２２８が直交していない場合、マッチアップ（matchup）は非直交と記載されうる。ユーザ機器（ＵＥ）４０４は、複数のユーザ機器（ＵＥ）４０４の好適ビーム２２８に直交する好適ビーム２２８を有しうる。ユーザ機器（ＵＥ）４０４はまた、ペアリングのために利用可能なユーザ機器（ＵＥ）４０４の好適ビーム２２８のうちのいずれにも直交しない好適ビーム２２８を有しうる。例えば、ＵＥ５  ４０４ｅは、その他のユーザ機器（ＵＥ）４０４の好適ビーム２２８に非直交する好適ビーム２２８を有するように示されている。
【００５０】
複数のユーザ機器（ＵＥ）ペア４３２の場合、基地局１０２は、ユーザ機器（ＵＥ）ペア４３２のうちの１つを選択しうる。多数の異なる方法が、ユーザ機器（ＵＥ）ペア４３２のうちの１つを選択するために使用されうる。例えば、合計比例的公平測定基準が使用されうる。
【００５１】
スケジューリングは通常、伝送時間間隔（ＴＴＩ）毎にリソースを特定のユーザに割り当てることによって、効用（utility）関数Ｕ（Ｒ１（ｔ），．．．，ＲＮ（ｔ））を最大化することを目的としている。比例的公平性のための効用関数は方程式（１）において与えられる。  
【数１】
0005642802.tif 000002
【００５２】
方程式（１）において、Ｒｉ（ｔ）は、時間ｔにおけるユーザｉの平均スループットを表す。ストリームを１つと仮定すると、方程式（１）は、方程式（２）における伝送時間間隔（ＴＴＩ）毎のリソース割当ルールに等しい。  
【数２】
0005642802.tif 000003
【００５３】
方程式（２）において、ｒｉ（ｔ）は、時間ｔにおいてユーザｉに提供される瞬間的なレートを表し、δｉ∈｛０，１｝は、ユーザｉに対するリソース割当を示す。スケジューラのタスクは、伝送時間間隔（ＴＴＩ）毎にリソースを割り当てること（すなわち、効用関数を最大化するためにインデックスδｉを選択すること）である。リソース割当ルールは、方程式（３）においてＳＵ−ＭＩＭＯのために一般化されることができる。  
【数３】
0005642802.tif 000004
【００５４】
２×２ＭＵ−ＭＩＭＯでは、ユーザｉ１、ｉ２をペアリングするためのルールが方程式（４）において与えられる。  
【数４】
0005642802.tif 000005
【００５５】
ペアリング・アルゴリズムは、ＭＵ−ＭＩＭＯ比例的公平ルールにしたがって、伝送時間間隔（ＴＴＩ）毎にどのユーザおよびストリームがペアリングされるかを決定する。ペアリング・アルゴリズムはその後、伝送時間間隔（ＴＴＩ）毎に、∀事前符号化ベクトルｂｋ、ｋ＝１．．．４と、全ての候補ユーザｕｊを決定する。候補セットは、Ｕ（ｂｋ）＝｛（ｕｊ，ＣＱＩ（ｂｋ））であり、ここで、ｂｋはｕｊのための好適な一次的事前符号化ベクトルである。候補ユーザは、ランク−２ ＣＱＩレポートを要求しない。事前符号化ベクトルｂｋおよびｂ５−ｋは、直交しているものと仮定される。ＭＵ−ＭＩＭＯ伝送のためのユーザペアはその後、１又は複数のアプローチを使用して決定されうる。１つのアプローチにおいて、ユーザペア（ｕｉ，ｕｊ）∈（Ｕ（ｂｋ），Ｕ（ｂ５−ｋ））がスケジュールされることができる。線形受信機では、好適な事前符号化ベクトルがより好ましいＣＱＩを提供する。このアプローチは受信機のアーキテクチャに関係なく機能する。
【００５６】
ランキング・アルゴリズムがその後使用されうる。ランキング・アルゴリズムは、優先順位の最も高いＭＵ−ＭＩＭＯペアおよび優先順位の最も高いＳＵ−ＭＩＭＯユーザを、伝送時間間隔（ＴＴＩ）毎に識別しうる。ユーザは、その（複数の）ＭＡＣ優先キューにおいてフリーＨＡＲＱ処理およびデータを有している場合に、望ましいと見なされる。レポートされたＣＱＩ（デシベル単位で表される量子化された信号対雑音比（ＳＮＲ））は、各望ましいユーザに関して（ビット／シンボルで表される）スペクトル効率にマッピングされうる。
【００５７】
ＳＵ−ＭＩＭＯユーザ・ランキングリストはその後、比例的公平ルールにしたがって、全ての望ましいユーザのために計算されうる。単一あるいはデュアルストリームＳＵ−ＭＩＭＯは、レポートされたチャネルランクに依存して、望ましい各ユーザに対して仮定されうる。ユーザペアリング・アプローチにしたがう最も優先順位の高いＭＵ−ＭＩＭＯの望ましいペアが、比例的公平ルールにしたがって判定されうる。必要に応じて、スペクトル効率が、ペアリングされたユーザ間で分割された電力を考慮して（account for）リスケールされうる。優先度の比較に基づいて、（ＳＵ−ＭＩＭＯにために１ユーザのみ、あるいはＭＵ−ＭＵＭＯのために１ユーザペアのみが、伝送時間間隔（ＴＴＩ）毎にスケジューリングされるものと仮定して）ＳＵ−ＭＩＭＯランキングリストの最も優先順位の高いユーザか、最も優先順位の高いＭＵＭＩ−ＭＩＭＯユーザペアのどちらかが、瞬間的な伝送時間間隔にスケジューリングされうる。その後、ＣＱＩマッピング表が使用されうる。
【００５８】
図５は、複数の伝送時間間隔（ＴＴＩ）５３８を持つタイムライン５００を例示するブロック図である。ノードＢ５０２は、第１のユーザ機器（ＵＥ）５０４ａ、第２のユーザ機器（ＵＥ）５０４ｂ、および第３のユーザ機器（ＵＥ）５０４ｃと通信しうる。第１の伝送時間間隔（ＴＴＩ）５３８ａの間、第１のユーザ機器（ＵＥ）５０４ａおよび第２のユーザ機器（ＵＥ）５０４ｂは、第１のユーザ機器（ＵＥ）ペア５３４ａの一部でありうる。ノードＢ５０２は、第１の伝送時間間隔（ＴＴＩ）５３８ａの間、直交好適データストリーム２１８で、第１のユーザ機器（ＵＥ）ペア５３４に（すなわち、第１のユーザ機器（ＵＥ）好適データストリーム２１８ａを使用して第１のユーザ機器（ＵＥ）５０４ａに、および、第２のユーザ機器（ＵＥ）好適データストリーム２１８ｂを使用して第２のユーザ機器（ＵＥ）５０４ｂに）送信しうる（５３６）。
【００５９】
第１の伝送時間間隔（ＴＴＩ）５３８ａの後、ノードＢ５０２は、受信されたチャネル品質インジケータ（ＣＱＩ）１１２を評価し、ユーザ機器（ＵＥ）ペア５３４を再選択しうる（５４０）。例えば、ノードＢ５０２は、第２の伝送時間間隔（ＴＴＩ）５３８ｂのための第２のユーザ機器（ＵＥ）ペア５３４ｂを選択しうる。第２のユーザ機器（ＵＥ）ペア５３４ｂは、第２のユーザ機器（ＵＥ）５０４ｂおよび第３のユーザ機器（ＵＥ）５０４ｃを含みうる。ノードＢ５０２はその後、第２の伝送時間間隔（ＴＴＩ）５３８ｂの間、直交好適データストリーム２１８で、選択されたユーザ機器（ＵＥ）ペア５３４ｂに（すなわち、第２のユーザ機器（ＵＥ）好適データストリーム２１８ｂを使用して第２のユーザ機器（ＵＥ）５０４ｂに、および、第３のユーザ機器（ＵＥ）好適データストリーム（図示せず）を使用して第３のユーザ機器（ＵＥ）５０４ｃに）送信しうる（５４２）。
【００６０】
図６は、ペアリングされた２つのユーザ機器（ＵＥ）２０４に対するデータストリームを一緒にスケジューリングするための別の方法６００のフロー図である。方法６００は基地局１０２によって実行されうる。１つの構成において、基地局１０２はノードＢ２０２でありうる。ユーザ機器（ＵＥ）２０４は無線通信デバイス１０４でありうる。
【００６１】
ノードＢ２０２は、第１のユーザ機器（ＵＥ）２０４ａから、第１のビームに対応する第１のチャネル品質インジケータ（ＣＱＩ）１１２を受信しうる（６０２）。第１のユーザ機器（ＵＥ）２０４は、ノードＢ２０２と第１のユーザ機器（ＵＥ）２０４ａとの間の第１のダウンリンク１０６チャネルを測定することによって、第１のチャネル品質インジケータ（ＣＱＩ）１１２を取得していることができる。ノードＢ２０２はまた、第１のユーザ機器（ＵＥ）２０４ａから、第２のビームに対応する第２のチャネル品質インジケータ（ＣＱＩ）１１２を受信しうる（６０４）。
【００６２】
ノードＢ２０２は、第２のユーザ機器（ＵＥ）２０４ｂから、第１のビームに対応する第３のチャネル品質インジケータ（ＣＱＩ）１１２を受信しうる（６０６）。ノードＢ２０２は、第１のビームを使用して、第１のユーザ機器（ＵＥ）２０４ａおよび第２のユーザ機器（ＵＥ）２０４ｂの両方と予め（すなわち、前の伝送時間間隔（ＴＴＩ）５３８において）通信していることができる。ノードＢ２０２はまた、第２のユーザ機器（ＵＥ）２０４ｂから、第２のビームに対応する第４のチャネル品質インジケータ（ＣＱＩ）１１２を受信しうる（６０８）。ノードＢ２０２は、第２のビームを使用して、第１のユーザ機器（ＵＥ）２０４ａおよび第２のユーザ機器（ＵＥ）２０４ｂの両方と予め（すなわち、前の伝送時間間隔（ＴＴＩ）５３８において）通信していることができる。
【００６３】
ノードＢ２０２は、第１のユーザ機器（ＵＥ）２０４ａを第２のユーザ機器（ＵＥ）２０４ｂとペアリングして、ユーザ機器（ＵＥ）ペア２２４を取得しうる（６１０）。第１のユーザ機器（ＵＥ）２０４ａのための好適ビーム（すなわち、第１のビーム）が第２のユーザ機器（ＵＥ）２０４ｂのための好適ビーム２２８（すなわち、第２のビーム）に対して直交している場合に、第１のユーザ機器（ＵＥ）２０４ａおよび第２のユーザ機器（ＵＥ）２０４ｂがペアリングされうる。ノードＢ２０２は複数のユーザ機器（ＵＥ）ペア２２４を取得しうる。上述されたように、ユーザ機器（ＵＥ）２０４は１つのユーザ機器（ＵＥ）ペア２２４よりも多くのものに含まれうる。
【００６４】
ノードＢ２０２は、ユーザ機器（ＵＥ）ペア２２４を、選択されたユーザ機器（ＵＥ）ペア２２５として選択しうる（６１１）。例えば、ノードＢ２０２は、可能性のある最も好ましい利得を持つユーザ機器（ＵＥ）ペア２２４を、選択されたユーザ機器（ＵＥ）ペア２２５として選択しうる（６１１）。個別のユーザ機器（ＵＥ）２０４毎に比例的公平測定基準が使用されうる。ユーザ機器（ＵＥ）ペア２２４では合計比例的公平測定基準が使用されうる。
【００６５】
ノードＢ２０２はその後、第１のユーザ機器（ＵＥ）２０４ａのための第１のビームの第１のデータストリーム（すなわち、第１のユーザ機器（ＵＥ）好適データストリーム２１８ａ）と、第２のユーザ機器（ＵＥ）２０４ｂのための第２のビームの第２のデータストリーム（すなわち、第２のユーザ機器（ＵＥ）好適データストリーム２１８ｂ）とを、単一直交可変拡散率（ＯＶＳＦ）符号２２６を使用して、同じ伝送時間間隔（ＴＴＩ）５３８にスケジューリングしうる（６１２）。ノードＢ２０２はその後、伝送時間間隔（ＴＴＩ）５３８の間に第１のデータストリームおよび第２のデータストリームを同時に送信しうる（６１４）。
【００６６】
図７は、本システムおよび方法における使用のための基地局７０２のブロック図である。図７の基地局７０２は、図１の基地局１０２の１つの構成でありうる。基地局７０２は、第１の送信チェイン７４６ａおよび第２の送信チェイン７４６ｂを含みうる。第１の送信チェイン７４６ａは、第１のデータストリーム７１８ａのために使用され、第２の送信チェイン７４６ｂは第２のデータストリーム７１８ｂのために使用されうる。
【００６７】
第１の送信チェイン７４６ａは第１のベースバンド送信信号７４４ａを含みうる。第１のベースバンド送信信号７４４ａは、変調器７４７ａを使用して変調され、デジタル／アナログ変換器（ＤＡＣ）７４８ａを使用してデジタル信号からアナログ信号に変換され、ミキサ７４９ａを使用して周波数変換され、増幅器７５０ａを使用して増幅され、最終的に、第１のアンテナ７５１ａによって第１のデータストリーム７１８ａとして送信されうる。同様に、第２の送信チェイン７４６ｂは第２のベースバンド送信信号７４４ｂを含みうる。第２のベースバンド送信信号７４４ｂは、変調器７４７ｂを使用して変調され、デジタル／アナログ変換器（ＤＡＣ）７４８ｂを使用してデジタル信号からアナログ信号に変換され、ミキサ７４９ｂを使用して周波数変換され、増幅器７５０ｂを使用して増幅され、最終的に、第２のアンテナ７５１ｂによって第２のデータストリーム７１８ｂとして送信されうる。上述されたように、第１のデータストリーム７１８ａおよび第２のデータストリーム７１８ｂは、直交ビームを持つ同じ直交可変拡散率（ＯＶＳＦ）符号２２６を使用して、同じ伝送時間間隔（ＴＴＩ）５３８の間に送信されうる。
【００６８】
図８は、多入力多出力（ＭＩＭＯ）システム８００における送信機８６９および受信機８７０のブロック図である。送信機８６９において、多数のデータストリームのためのトラフィックデータが、データソース８５２から送信（ＴＸ）データプロセッサ８５３に提供される。各データストリームはその後、それぞれの送信アンテナ８５６ａ−ｔによって送信されうる。送信（ＴＸ）データプロセッサ８５３は、そのデータストリームのために選択された特定の符号化スキームに基づいて各データストリームのためのトラフィックデータをフォーマット、符号化、およびインタリーブして、符号化されたデータを提供しうる。
【００６９】
各データストリームのための符号化されたデータは、ＯＦＤＭ技術を使用してパイロットデータと共に多重化される。パイロットデータは、周知のやり方で処理される周知のデータパターンであり、チャネル応答を推定するために受信機８７０において使用されうる。各ストリームのための多重化されたパイロットおよび符号化されたデータはその後、そのデータストリームのために選択された特定の変調スキーム（例えば、２相位相変調（ＢＰＳＫ）、４相位相変調（ＱＰＳＫ）、多相位相変調（Ｍ−ＰＳＫ）、あるいはマルチレベル直交振幅変調（Ｍ−ＱＡＭ））に基づいて変調（すなわち、シンボルマッピング）され、変調シンボルを提供する。各データストリームのためのデータレート、符号化、および変調が、プロセッサによって実行される命令群によって決定されうる。
【００７０】
全てのデータストリームのための変調シンボルが、送信（ＴＸ）多入力多出力（ＭＩＭＯ）プロセッサ８５４に提供されうる。これは、（例えば、ＯＦＤＭのために）変調シンボルを更に処理しうる。送信（ＴＸ）多入力多出力（ＭＩＭＯ）プロセッサ８５４はその後、ＮＴ個の送信機（ＴＭＴＲ）８５５ａ乃至８５５ｔにＮＴ個の変調シンボルストリームを提供する。ＴＸ送信（ＴＸ）多入力多出力（ＭＩＭＯ）プロセッサ８５４は、データストリームのシンボルと、そのシンボルの送信元となっているアンテナ８５６とにビームフォーミング重みを適用しうる。
【００７１】
各送信機８５５は、それぞれのシンボルストリームを受信および処理して１又は複数のアナログ信号を提供し、それらのアナログ信号を更に調整（たとえば、増幅、フィルタリング、およびアップコンバート）して、ＭＩＭＯチャネルを介した伝送に適した変調された信号を提供しうる。その後、送信機８５５ａ乃至８５５ｔからのＮＴ個の変調された信号は、それぞれ、ＮＴ個のアンテナ８５６ａ乃至８５６ｔから送信される。
【００７２】
受信機８７０では、送信された変調された信号はＮＲ個のアンテナ８６１ａ乃至８６１ｒによって受信され、各アンテナ８６１から受信された信号は、それぞれの受信機（ＲＣＶＲ）８６２ａ乃至８６２ｒに提供される。各受信機８６２は、それぞれの受信された信号を調整（たとえば、フィルタリング、増幅、およびダウンコンバート）し、調整された信号をデジタル化してサンプルを提供し、さらに、サンプルを処理して対応する「受信された」シンボルストリームを提供する。
【００７３】
その後、ＲＸデータプロセッサ８６３は、特定の受信機処理技法に基づいてＮＲ個の受信機８６２からＮＲ個の受信されたシンボルストリームを受信および処理して、ＮＴ個の「検出された」シンボルストリームを提供する。ＲＸデータプロセッサ８６３はその後、データストリームのためのトラフィックデータを復元するために、各検出されたシンボルストリームを復調、デインターリーブ、および復号する。ＲＸデータプロセッサ８６３による処理は、送信機システム８６９におけるＴＸ ＭＩＭＯプロセッサ８５４およびＴＸデータプロセッサ８５３によって実行される処理に対して相補的である。
【００７４】
プロセッサ８６４は、どの事前符号化行列を使用すべきかを定期的に判定しうる。プロセッサ８６４は、メモリ８６５に情報を格納し、また、そこから情報を取り出しうる。プロセッサ８６４は、行列インデックス部とランク値部とを備えるリバースリンクメッセージを作成する。リバースリンクメッセージはチャネル状態情報（ＣＳＩ）と称されうる。リバースリンクメッセージは、通信リンクおよび／あるいは受信されたデータストリームに関する様々なタイプの情報を備えることができる。リバースリンクメッセージはその後、データソース８６８から多数のデータストリームのためのトラフィックデータも受信するＴＸデータプロセッサ８６７によって処理され、変調器８６６によって変調され、送信機８６２ａ乃至８６２ｒによって調整され、送信機８６９に戻される。
【００７５】
送信機８６９において、受信機からの変調された信号は、アンテナ８５６によって受信され、受信機８５５によって調整され、復調器８５８によって復調され、ＲＸデータプロセッサ８５９によって処理されて、受信機システム８７０によって送信されたリバースリンクメッセージが抽出される。プロセッサ８６０は、ＲＸデータプロセッサ８５９からチャネル状態情報（ＣＳＩ）を受信しうる。プロセッサ８６０は、メモリ８５７に情報を格納し、そこから情報を取り出しうる。プロセッサ８６０はその後、ビームフォーミング重みを決定するためにどの事前符号化行列を使用するかを決定し、その後、抽出されたメッセージを処理する。
【００７６】
図９は、基地局９０２に含まれうる特定の構成要素を例示する。基地局は、アクセスポイント、ブロードキャスト送信機、ノードＢ、発展型ノードＢなどと称されうる、また、それらの機能のいくつかあるいは全てを含みうる。基地局９０２はプロセッサ９０３を含む。プロセッサ９０３は、汎用の単一チップあるいはマルチチップのマイクロプロセッサ（例えば、ＡＲＭ）、特殊用途マイクロプロセッサ（例えば、デジタル信号プロセッサ（ＤＳＰ））、マイクロコントローラ、プログラマブルゲートアレイなどでありうる。プロセッサ９０３は、中央処理ユニット（ＣＰＵ）と称されうる。単一プロセッサ９０３のみが図９の基地局９０２に示されるが、代替的な構成において、複数のプロセッサ（例えば、ＡＲＭおよびＤＳＰ）の組合せが使用されうる。
【００７７】
基地局９０２はまた、メモリ９０５を含む。メモリ９０５は、電子情報を格納することができる任意の電子構成要素でありうる。メモリ９０５は、ランダムアクセスメモリ（ＲＡＭ）と、読取専用メモリ（ＲＯＭ）と、磁気ディスク記憶媒体と、光学記憶媒体、ＲＡＭにおけるフラッシュメモリデバイスと、プロセッサに付属しているオンボードメモリと、ＥＰＲＯＭメモリと、ＥＥＰＲＯＭメモリと、レジスタと、それらによる組合せを含む、それらと同様のものとして実現されうる。
【００７８】
データ９０７ａおよび命令群９０９ａはメモリ９０５に格納されうる。命令群９０９ａは、本明細書に開示される方法を実施するように、プロセッサ９０３によって実行可能でありうる。命令群９０９ａを実行することは、メモリ９０５に格納されるデータ９０７ａの使用を含みうる。プロセッサ９０３が命令群９０９ａを実行すると、命令群９０９ｂの様々な部分がプロセッサ９０３にロードされ、データ９０７ｂの様々な断片（pieces）がプロセッサ９０３にロードされうる。
【００７９】
基地局９０２はまた、基地局９０２への信号の送信およびそこからの信号の受信を可能にするために、送信機９１１および受信機９１３を含みうる。送信機９１１および受信機９１３は、集合的にトランシーバ９１５と称されうる。複数のアンテナ９１７ａ−ｂは、トランシーバ９１５に電気的に結合されうる。基地局９０２はまた、複数の送信機、複数の受信機、複数のトランシーバ、および／あるいは追加的なアンテナを含みうる（図示せず）。
【００８０】
基地局９０２はデジタル信号プロセッサ（ＤＳＰ）９２１を含みうる。基地局９０２はまた、通信インタフェース９２３を含みうる。通信インタフェース９２３は、ユーザが基地局９０２と相互作用できるようにしうる。
【００８１】
基地局９０２の様々な構成要素は、電力バス、制御信号バス、状態信号バス、データバスなどを含みうる１又は複数のバスによって一緒に結合されうる。明確にするために、様々なバスが図９においてバスシステム９１９として例示されている。
【００８２】
本明細書において説明される技術は、直交多重化スキームに基づく通信システムを含む様々な無線通信システムのために使用されうる。このような通信システムの例は、直交周波数分割多元接続（ＯＦＤＭＡ）システム、単一キャリア周波数分割多元接続（ＳＣ−ＦＤＭＡ）システムなどを含む。ＯＦＤＭＡシステムは、全システム帯域幅を複数の直交サブキャリアに分割する変調技術である直交周波数分割多重化（ＯＦＤＭ）を利用する。これらのサブキャリアは、トーンやビンなどとも呼称されうる。ＯＦＤＭでは、各サブキャリアはデータと共に、独立して変調されうる。ＳＣ−ＦＤＭＡシステムは、システム帯域幅にわたって割り振られたサブキャリアで送信するためにインタリーブされたＦＤＭＡ（ＩＦＤＭＡ）を利用するか、隣接サブキャリアのブロックで送信するためにローカライズされたＦＤＭＡ（ＬＦＤＭＡ）を利用するか、あるいは、隣接サブキャリアの複数のブロックで送信するために改良型ＦＤＭＡ（ＥＦＤＭＡ）を利用しうる。一般的に、変調シンボルは、周波数領域においてＯＦＤＭを用いて、また、時間領域においてＳＣ−ＦＤＭＡを用いて送られる。
【００８３】
用語「判定する（determining）」は多種多様な動作を包含する。したがって、「判定すること」とは、計算すること、コンピュータで算出すること、処理すること、導出すること、詳細に調べること、（例えば、表、データベース、あるいは別のデータ構造を調べることのように）調べること、解明すること等を含みうる。更に、「判定すること」とは、（例えば、情報を受信することのように）受信すること、（例えば、メモリ内のデータにアクセスすることのように）アクセスすること等を含みうる。更に、「判定すること」とは、決定すること、選択すること、選定すること、確立すること等を含みうる。
【００８４】
用語「基づく（based on）」は、そうではないと明確に定められていない限り、「のみに基づく（based only on）」ことを意味するわけではない。言い換えると、「基づく」というフレーズは、「のみに基づく」および「少なくとも〜に基づく（based at least on）」の両方を表現する。
【００８５】
用語「プロセッサ」は、汎用プロセッサ、中央処理ユニット（ＣＰＵ）、マイクロプロセッサ、デジタル信号プロセッサ（ＤＳＰ）、コントローラ、マイクロコントローラ、ステートマシンなどを包含するように広く解釈されるものとする。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指しうる。用語「プロセッサ」は、例えば、ＤＳＰおよびマイクロプロセッサの組合せ、複数のマイクロプロセッサ、ＤＳＰコアと連結する１又は複数のマイクロプロセッサ、あるいはその他任意のそのような構成といった、処理デバイスの組合せを称しうる。
【００８６】
用語「メモリ」は、電子情報を格納することができる任意の電子構成要素を包含するように広く解釈されるものとする。用語メモリは、ランダムアクセスメモリ（ＲＡＭ）、読取専用メモリ（ＲＯＭ）、非一次的なランダムアクセスメモリ（ＮＶＲＡＭ）、プログラマブル読取専用メモリ（ＰＲＯＭ）、消去可能プログラマブル読取専用メモリ（ＥＰＲＯＭ）、電気的消去可能ＰＲＯＭ（ＥＥＰＲＯＭ）、フラッシュメモリ、磁気あるいは光学データ記憶装置、レジスタなどといった、様々なタイプのプロセッサ可読媒体を指しうる。プロセッサが、メモリから情報を読み取ることができるおよび／あるいはメモリに情報を書き込むことができる場合、このメモリはプロセッサと電子的に通信していると考えられる。プロセッサに統合されるメモリはプロセッサと電子的に通信している。
【００８７】
用語「命令群」および「コード」は、任意のタイプのコンピュータ可読ステートメントを含むように広く解釈されるものとする。例えば、用語「命令群」および「コード」は、１又は複数のプログラム、ルーティン、サブルーティン、機能、手順などを指しうる。「命令群」および「コード」は、単一コンピュータ可読ステートメントあるいは多数のコンピュータ可読ステートメントを備えうる。
【００８８】
本明細書において説明される機能は、ハードウェアによって実行されるソフトウェアあるいはファームウェアにおいて実施される。これらの機能はコンピュータ可読媒体上に１又は複数の命令群として格納されうる。用語「コンピュータ可読媒体」あるいは「コンピュータプログラム製品」は、コンピュータあるいはプロセッサによってアクセスされることができる任意の有形的な記憶媒体を称しうる。限定ではなく例として、コンピュータ可読媒体は、ＲＡＭ、ＲＯＭ、ＥＥＰＲＯＭ、ＣＤ−ＲＯＭ、あるいはその他の光学ディスク記憶装置、磁気ディスク記憶装置又はその他の磁気記憶デバイス、あるいは命令群又はデータ構造の形態で望ましいプログラムコードを搬送あるいは格納するために使用されることができ、また、コンピュータによってアクセスされることができるその他任意の媒体を備えうる。本明細書で使用されるようなディスク（disk）及びディスク（disc）は、コンパクトディスク（ＣＤ）（disc）、レーザディスク（disc）、光学ディスク、デジタルバーサタイルディスク（ＤＶＤ）（disc）、フロッピー（登録商標）ディスク（disk）及びブルーレイ（登録商標）ディスク（disc）を含む。ここで、ディスク（disk）は通常、データを磁気的に再生する一方、ディスク（disc）はレーザを用いてデータを光学的に再生する。
【００８９】
本明細書に開示される方法は、説明された方法を達成するための１又は複数のステップあるいはアクションを備える。方法のステップおよび／あるいはアクションは、本願請求項のスコープから逸脱することなく互いに置換可能でありうる。言い換えると、特定の順序のステップあるいはアクションが、説明されている方法の適切な動作のために要求されない限りは、特定のステップおよび／あるいはアクションの順序および／あるいは使用は、本願請求項のスコープを逸脱することなく変更されうる。
【００９０】
更に、モジュールおよび／あるいは、図３および図６に例示されたもののような、本明細書において説明される方法および技術を実行するためのその他適切な手段は、デバイスよってダウンロードされる、および／あるいは、そうでない場合は取得されうる。例えば、デバイスは、本明細書で説明された方法を実行するための手段の転送を容易にするためにサーバに結合されうる。代替的に、デバイスが、記憶手段をデバイスに結合あるいは提供する際に記憶手段をデバイスに提供しうるように、本明細書で説明された様々な方法は、（例えば、ランダムアクセスメモリ（ＲＡＭ）や、読取専用メモリ（ＲＯＭ）や、コンパクトディスク（ＣＤ）あるいはフロッピーディスク等のような物理記憶媒体のような）記憶手段によって提供されうる。
【００９１】
特許請求の範囲が、上記で例示された正確な構成および構成要素に限定されないということが理解されるべきである。様々な変形例、変更、およびバリエーションが、特許請求の範囲のスコープから逸脱することなく、配置、動作、システムの詳細、方法、および本明細書に説明される装置においてなされうる。
以下に、本願出願の当初の特許請求の範囲に記載された発明を付記する。
［Ｃ１］  高速パケットアクセスシステムにおいてマルチユーザ多入力多出力を提供するための方法であって、
複数のデュアルストリーム対応無線通信デバイスからチャネル品質インジケータを受信することと、
前記チャネル品質インジケータを使用して、各無線通信デバイスのための好適ビームおよび二次的ビームを判定することと、
互いに直交する好適ビームを持つ無線通信デバイスをペアリングすることと、
無線通信デバイスペアを選択することと、
直交可変拡散率符号を使用して、前記選択された通信デバイスペアのためのデータストリームを同じ伝送時間間隔にスケジューリングすることと
を備える方法。
［Ｃ２］  前記無線通信デバイスはユーザ機器であるＣ１に記載の方法。
［Ｃ３］  前記方法はノードＢによって実行されるＣ１に記載の方法。
［Ｃ４］  前記無線通信デバイスをペアリングすることは、前記ノードＢによってサービス提供される各無線通信デバイスの前記好適ビームを比較することを備えるＣ３に記載の方法。
［Ｃ５］  前記無線通信デバイスペアは、第１の無線通信デバイスおよび第２の無線通信デバイスを備え、前記選択された無線通信デバイスペアのためのデータストリームをスケジューリングすることは、前記第１の無線通信デバイスの好適ビームで第１のデータストリームをスケジューリングすることと、前記第２の無線通信デバイスで好適ビームの第２のデータストリームをスケジューリングすることとを備えるＣ１に記載の方法。
［Ｃ６］  前記第１のデータストリームおよび前記第２のデータストリームは、同時に送信されるＣ５に記載の方法。
［Ｃ７］  前記直交可変拡散率符号は１６の拡散率を有するＣ１に記載の方法。
［Ｃ８］  前記方法は伝送時間間隔毎に実行されるＣ１に記載の方法。
［Ｃ９］  互いに直交する好適ビームを持つ無線通信デバイスをペアリングすることは、比較表を使用することを備えるＣ１に記載の方法。
［Ｃ１０］  前記無線通信デバイスペアを選択することは、複数の無線通信デバイスペアから前記無線通信ペアを選択することを備え、前記選択された無線通信デバイスペアは、前記伝送時間間隔の間、測定基準を最大化するＣ１に記載の方法。
［Ｃ１１］  高速パケットアクセスシステムにおいてマルチユーザ多入力多出力を提供するように構成された無線デバイスであって、
プロセッサと、
前記プロセッサを電子的に通信しているメモリと、
前記メモリに格納された命令群とを備え、前記命令群は、
複数のデュアルストリーム対応無線通信デバイスからチャネル品質インジケータを受信し、
前記チャネル品質インジケータを使用して、各無線通信デバイスのための好適ビームおよび二次的ビームを判定し、
互いに直交する好適ビームを持つ無線通信デバイスをペアリングし、
無線通信デバイスペアを選択し、
直交可変拡散率符号を使用して、前記選択された無線通信デバイスペアのためのデータストリームを同じ伝送時間間隔にスケジューリングする
ように前記プロセッサによって実行可能な無線デバイス。
［Ｃ１２］  前記無線通信デバイスはユーザ機器であるＣ１１に記載の無線デバイス。
［Ｃ１３］  前記無線デバイスはノードＢであるＣ１１に記載の無線デバイス。
［Ｃ１４］  前記無線通信デバイスをペアリングすることは、前記ノードＢによってサービス提供される各無線通信デバイスの前記好適ビームを比較することを備えるＣ１３に記載の無線デバイス。
［Ｃ１５］  前記無線通信デバイスペアは、第１の無線通信デバイスおよび第２の無線通信デバイスを備え、前記選択された無線通信デバイスペアのためのデータストリームをスケジューリングすることは、前記第１の無線通信デバイスの好適ビームで第１のデータストリームをスケジューリングすることと、前記第２の無線通信デバイスの好適ビームで第２のデータストリームをスケジューリングすることとを備えるＣ１１に記載の無線デバイス。
［Ｃ１６］  前記第１のデータストリームおよび前記第２のデータストリームは同時に送信されるＣ１５に記載の無線デバイス。
［Ｃ１７］  前記直交可変拡散率符号は１６の拡散率を有するＣ１１に記載の無線デバイス。
［Ｃ１８］  前記命令群は、伝送時間間隔毎に前記プロセッサによって実行可能なＣ１１に記載の無線デバイス。
［Ｃ１９］  前記互いに直交する好適ビームを持つ無線通信デバイスをペアリングすることは比較表を使用することを備えるＣ１１に記載の無線デバイス。
［Ｃ２０］  前記無線通信デバイスペアを選択することは、複数の無線通信デバイスペアから前記無線通信デバイスペアを選択することを備え、前記選択された無線通信デバイスペアは、前記伝送時間間隔の間、測定基準を最大化することを備えるＣ１１に記載の無線デバイス。
［Ｃ２１］  高速パケットアクセスシステムにおいてマルチユーザ多入力多出力を提供するように構成された無線デバイスであって、
複数のデュアルストリーム対応無線通信デバイスからチャネル品質インジケータを受信する手段と、
前記チャネル品質インジケータを使用して各無線通信デバイスのための好適ビームおよび二次的ビームを判定する手段と、
互いに直交する好適ビームを持つ無線通信デバイスをペアリングする手段と、
無線通信デバイスペアを選択する手段と、
直交可変拡散率符号を使用して、前記選択された無線通信デバイスペアのためのデータストリームを同じ伝送時間隔にスケジューリングする手段と
を備える無線デバイス。
［Ｃ２２］  前記無線通信デバイスをペアリングすることは、前記無線デバイスによってサービス提供される各無線通信デバイスの前記好適ビームを比較することを備えるＣ２１に記載の無線デバイス。
［Ｃ２３］  前記無線通信デバイスペアは、第１の無線通信デバイスおよび第２の無線通信デバイスを備え、前記選択された無線通信デバイスペアのためのデータストリームをスケジューリングすることは、前記第１の無線通信デバイスの好適ビームで第１のデータストリームをスケジューリングすることと、前記第２の無線通信デバイスの好適ビームで第２のデータストリームをスケジューリングすることとを備えるＣ２１に記載の無線デバイス。
［Ｃ２４］  前記第１のデータストリームおよび前記第２のデータストリームは、同時に送信されるＣ２３記載の無線デバイス。
［Ｃ２５］  前記直交可変拡散率符号は１６の拡散率を有するＣ２１に記載の無線デバイス。
［Ｃ２６］  高速パケットアクセスシステムにおいてマルチユーザ多入力多出力を提供するためのコンピュータプログラム製品であって、前記コンピュータプログラム製品は、命令群を有する非一次的なコンピュータ可読媒体を備え、前記命令群は、
基地局に、複数のデュアルストリーム対応無線通信デバイスからチャネル品質インジケータを受信させるためのコードと、
前記基地局に、前記チャネル品質インジケータを使用して、各無線通信デバイスのための好適ビームおよび二次的ビームを判定させるためのコードと、
前記基地局に、互いに直交する好適ビームを持つ前記無線通信デバイスをペアリングさせるためのコードと、
前記基地局に、無線通信デバイスペアを選択させるためのコードと、
前記基地局に、直交可変拡散率符号を使用して、前記選択された無線通信デバイスペアのためのデータストリームを同じ伝送時間間隔にスケジューリングさせるためのコードと
を備えるコンピュータプログラム製品。
［Ｃ２７］  前記基地局に無線通信デバイスをペアリングさせるためのコードは、前記基地局に、前記基地局によってサービス提供される各無線通信デバイスの前記好適ビームを比較させるためのコードを備えるＣ２６に記載のコンピュータプログラム製品。
［Ｃ２８］  前記無線通信デバイスペアは、第１の無線通信デバイスおよび第２の無線通信デバイスを備え、前記基地局に選択された無線通信デバイスペアのためのデータストリームをスケジューリングさせるためのコードは、前記基地局に、前記第１の無線通信デバイスの好適ビームで第１のデータストリームをスケジューリングさせるためのコードと、前記基地局に、前記第２の無線通信デバイスで好適ビームの第２のデータストリームをスケジューリングさせるためのコードとを備えるＣ２６に記載のコンピュータプログラム製品。
［Ｃ２９］  前記第１のデータおよび前記第２のデータは同時に送信されるＣ２８に記載のコンピュータプログラム製品。
［Ｃ３０］  前記直交可変拡散率符号は１６の拡散率を有するＣ２６に記載のコンピュータプログラム製品。
【図１】
0005642802.tif 000006
【図２】
0005642802.tif 000007
【図３】
0005642802.tif 000008
【図４】
0005642802.tif 000009
【図５】
0005642802.tif 000010
【図６】
0005642802.tif 000011
【図７】
0005642802.tif 000012
【図８】
0005642802.tif 000013
【図９】
0005642802.tif 000014